(57)【要約】【課題】交差筋交い及び「下さん」を容易に設置できる枠組足場を提供する。【解決手段】枠組足場１００は、略水平状態に配置される長尺の足場板１０と、足場板１０の側面１２に連結した伸縮自在な交差筋交い装置２０と、防護ネット３ｎを格納する巻取り装置２０と、を備える。交差筋交い装置２０は、一対の対向する伸縮ロッド２１・２２と、一対の伸縮ロッド２１・２２の間を交差するように配置した一対の筋交い棒２４・２５と、「下さん２７」と、を有する。巻取り装置３０は、防護ネット３ｎを巻回する回転ドラム３１と、防護ネット３ｎが出入り可能なケース３２と、を有する。ケース３２が引き上げられて足場板１０から所定の高さに維持された状態では、防護ネット３ｎは、巻取り装置３０から引き出されて、一対の交差した筋交い棒２４・２５を覆うと共に、防護ネット３ｎの端部に設けた把持バー３ｐが足場板１０に近接して保持される。【選択図】図１
2012167488.tif 000002
【特許請求の範囲】
【請求項１】
略水平状態に配置され、帯状に延びる長尺の足場板と、
この足場板の幅方向の側面に連結した伸縮自在な交差筋交い装置と、
この交差筋交い装置の上部に設置され、前記足場板の長手方向の長さと略同じ長さを設けるシート状の防護ネットを格納し、前記足場板に対して略平行に移動可能な巻取り装置と、を備え、
前記交差筋交い装置は、
複数の管体を軸方向に連設すると共に、複数の前記管体の内の末端の管体を前記足場板の側面に回動可能に連結し、この末端の管体に対して、複数の前記管体の内の先頭の管体に向けて複数の前記管体を引き出し自在に連結した一対の対向する伸縮ロッドと、
一対の前記伸縮ロッドの間を交差するように配置した一対の筋交い棒であって、中央部を互いに回動可能に連結すると共に、両端部を前記末端の管体及び前記先頭の管体に回動可能に連結し、軸方向に伸縮可能な一対の筋交い棒と、を有し、
前記巻取り装置は、
前記防護ネットを巻回する方向に回転力を付勢された回転ドラムと、
この回転ドラムを囲うと共に、この回転ドラムの軸方向と略平行に開口し、前記防護ネットが出入り可能な開口部を下端部に設ける長尺の筒状のケースと、を有し、
前記防護ネットは、その端部に取り付けられ、当該防護ネットの引き出しが容易な把持バーを有し、
一対の前記伸縮ロッドの先頭の管体を上方に伸長した状態では、前記防護ネットが一対の前記筋交い棒を覆い、かつ、前記把持バーが前記足場板に近接して配置されるように、当該把持バーの両端部が一対の前記末端の管体に保持される枠組足場。
【請求項２】
前記交差筋交い装置は、前記足場板から所定の高さに配置されるように、両端部が一対の前記末端の管体に固定される「下さん」を更に有する請求項１記載の枠組足場。
【請求項３】
前記防護ネットが前記回転ドラムに巻回されて前記ケースに格納された後に、一対の前記伸縮ロッドが短縮された状態で、前記交差筋交い装置及び前記巻取り装置を略２７０度回転すると、前記交差筋交い装置及び前記巻取り装置は、前記足場板の内部に収容される請求項１又は２記載の枠組足場。
【請求項４】
前記ケースは、上段に位置する前記足場板の側面に係止される複数のフックを有する請求項１から３のいずれかに記載の枠組足場。
【請求項５】
前記伸縮ロッドは、末端の前記管体から先頭の前記管体に向けて、口径が段階的に小さくなる、相互に挿嵌された複数の管体で構成され、
これらの管体は、
先頭の前記管体に向けて一方の端部が縮径された縮径端部と、
末端の前記管体に向けて他方の端部が拡径された拡径端部と、を有し、
前記縮径端部の内壁に前記拡径端部の外壁が阻止されて、当該伸縮ロッドが伸長した長さが規定される請求項１から４のいずれかに記載の枠組足場。
【発明の詳細な説明】
【技術分野】
【０００１】
本発明は、枠組足場に関する。特に、交差筋交い及び防護ネットを足場板の側面に容易に設置できると共に、交差筋交い及び防護ネットを足場板の内部に収容可能な枠組足場の構造に関する。
【背景技術】
【０００２】
枠組足場は、建物の外壁面に沿って建設現場に仮設され、複数の鋼管及び足場部材を組み合わせて階層的に構成している。例えば、建設現場に仮設される枠組足場は、対向させた建枠の両側垂直面を交差筋交いで結合して枠組を補強すると共に、建枠を上方へ必要な高さだけ順次継ぎ足すことによって構築されている。
【０００３】
近年では、足場などから作業員が墜落又は転落することを未然に防止する対策が強化されている。そして、足場の種類に対応した墜落防止措置が労働安全衛生規則で義務付けられている。例えば、枠組足場では、交差筋交いの下部の隙間からの墜落を防止するため、交差筋交いに加え、「下さん」や「幅木」の設置が義務付けられている。又、「手すり枠」の設置も義務付けられている。
【０００４】
この規則により、枠組足場では、略水平面に敷設された作業床の長手方向の両縁に一対の対向する「下さん」及び「幅木」を配置している。これにより、交差筋交いの下部の隙間からの墜落防止を強化できる。
【０００５】
図１３は、従来の枠組足場の構成を示す斜視図である。図１３を参照すると、実施形態従来の枠組足場９０は、一対の鋼管を門型に溶接した複数の建枠９１ａを備えている。図１３に示した枠組足場９０は、建枠９１ａを三段に積層している。最下段の建枠９１ａには、ジャッキベース９１１を設けている。最上段の建枠９１ａには、手すり枠９１２を設けている。
【０００６】
又、図１３を参照すると、建物（図示せず）の外壁面に沿って、複数の建枠９１ａを仮設している。図１３に示した枠組足場９０は、六列の建枠９１ａを仮設している。そして、列方向に対向する一対の建枠９１ａ・９１ａが交差筋交い９１ｂで結合されて、枠組足場９０の枠組が補強されている。
【０００７】
図１３を参照すると、枠組足場９０は、略水平状態に作業床９２を配置している。図１３に示した枠組足場９０は、作業床９２を三段に階層している。実態として、作業床９２は、列方向に対向する一対の建枠９１ａ・９１ａに敷設される、長尺の足場板９２ａで構成されている。
【０００８】
図１３を参照すると、定尺の足場板９２ａが幅方向に複数列に配置（敷設）され、作業床９２は、所定幅の通路を確保している。更に、幅方向に配置された足場板９２ａは、長手方向にも連設されている。そして、作業床９２は、所定の奥行きが確保されている。これにより、作業員は、作業床９２を往来することもできる。更に、作業床９２には、階上又は階下に作業員が移動できるように、一組の階段枠９５・９６を設けている。
【０００９】
図１３を参照すると、作業床９２の長辺側の両縁部から略垂直方向に、一対の鋼製の幅木９３・９３を立設している。対向するこれらの幅木９３・９３は、作業床９２の両翼を防護している。又、一対の幅木９３・９３は、それらの長手方向にも連設されている。これにより、一対の幅木９３・９３は、交差筋交い９１ｂの下部の隙間からの墜落を防止できる。なお、図１３では、他方の幅木９３の図示を省略している。
【００１０】
図１３を参照すると、幅木９３の上方には、幅木９３と略平行に「下さん９４」を配置している。又、枠組足場９０の外側には、防護ネット（図示せず）を張ることもあり、工具や部品が不用意に落下することを防止している。
【００１１】
図１３を参照すると、交差筋交い９１ｂは、例えば、二本の棒状部材の中央部を互いに回動可能に予め連結した、いわゆるＸ形の交差筋交いを用いている。そして、このＸ形の交差筋交いの端部が建枠９１ａの垂直部材にボルトなどで締結されて、交差筋交い９１ｂを組み立てていた。一方、「下さん９４」は、例えば、帯状の平板部材が用いられ、バンドや番線を用いて、「下さん９４」の両端部を建枠９１ａの垂直部材に固定していた。
【００１２】
しかし、このようなＸ形の交差筋交い９１ｂと「下さん９４」を別々に組立又は解体することは、手間（時間）を要するばかりでなく、これらの足場部材を安定的に確実に取り付けるためには、熟練を要するという不具合があった。
【００１３】
上述したような不具合を解消するため、枠組足場に簡単に取り付けることができ、施工性を向上できると共に、確実でばらつきの無い取り付けが可能な「下さん」付き交差筋交いが開示されている（例えば、特許文献１参照）。
【００１４】
特許文献１による「下さん」付き交差筋交いは、二本の筋交い棒の中央部を互いに回動可能に連結したＸ形の交差筋交いと、直列状態と屈折状態との変化が可能に、二本の「下さん」棒の端部同士を連結した「下さん」と、を備え、筋交い棒の端部に「下さん」棒の他方の端部を回動可能に連結し、二本の筋交い棒が開角して交差しているときは、「下さん」棒が直列状態を維持し、二本の筋交い棒が閉角して折りたたんだときは、二本の「下さん」棒を折りたたんで、一本の棒状に収束するように構成している。
【先行技術文献】
【特許文献】
【００１５】
【特許文献１】特開２００１−３４９０５１号公報
【発明の概要】
【発明が解決しようとする課題】
【００１６】
特許文献１による「下さん」付き交差筋交いは、枠組足場への組立又は枠組足場からの解体が容易であるが、二本の筋交い棒の端部（４箇所）、及び「下さん」棒の一方の端部を建枠に取り付ける作業を依然として必要としている、という問題がある。
【００１７】
「下さん」及び交差筋交いを足場板と一体に構成すれば、足場板とこれらの足場部材を別々に搬入又は搬出する必要が無くなり、かつ、足場板の保管スペースをこれらの足場部材の保管スペースとして利用でき、枠組足場の構成品の保管スペースを削減できる。又、「下さん」及び交差筋交いを足場板と一体に構成し、「下さん」及び交差筋交いを容易に設置できるようになれば、設置時間を短縮できる。
【００１８】
又、図１３に示されたような従来の枠組足場は、「下さん」及び交差筋交いを組み立てた後に、防護ネットを枠組足場に搬入して取り付けていた。又、従来の枠組足場を解体するときには、防護ネットを枠組足場から取り外した後に、「下さん」及び交差筋交いを解体していた。したがって、防護ネットの取り付け及び取り外しに手間（時間）を要するという問題がある。
【００１９】
防護ネットを足場板と一体に構成すれば、足場板と防護ネットを別々に搬入又は搬出する必要が無くなり、かつ、足場板の保管スペースを防護ネットの保管スペースとして利用でき、枠組足場の構成品の保管スペースを削減できる。又、防護ネットを足場板と一体に構成し、防護ネットを容易に設置できるようになれば、設置時間を短縮できる。そして、以上のことが本発明の課題をいってよい。
【００２０】
本発明は、このような課題に鑑みてなされたものであり、交差筋交い及び「下さん」を容易に設置できると共に、防護ネットの取り付け及び取り外しが容易な枠組足場を提供することを目的とする。
【課題を解決するための手段】
【００２１】
本発明者は、作業床を構成する足場板の幅方向の片翼に伸縮自在な交差筋交い装置を設けると共に、交差筋交い装置の上部に防護ネットを巻回状態で格納する巻取り装置を設け、巻取り装置から防護ネットを引き出すための把持バーを足場板に近接して配置することにより、これらの課題が解決可能なことを見出し、これに基づいて、以下のような新たな枠組足場を発明するに至った。
【００２２】
（１）本発明による枠組足場は、略水平状態に配置され、帯状に延びる長尺の足場板と、この足場板の幅方向の側面に連結した伸縮自在な交差筋交い装置と、この交差筋交い装置の上部に設置され、前記足場板の長手方向の長さと略同じ長さを設けるシート状の防護ネットを格納し、前記足場板に対して略平行に移動可能な巻取り装置と、を備え、前記交差筋交い装置は、複数の管体を軸方向に連設すると共に、複数の前記管体の内の末端の管体を前記足場板の側面に回動可能に連結し、この末端の管体に対して、複数の前記管体の内の先頭の管体に向けて複数の前記管体を引き出し自在に連結した一対の対向する伸縮ロッドと、一対の前記伸縮ロッドの間を交差するように配置した一対の筋交い棒であって、中央部を互いに回動可能に連結すると共に、両端部を前記末端の管体及び前記先頭の管体に回動可能に連結し、軸方向に伸縮可能な一対の筋交い棒と、を有し、前記巻取り装置は、前記防護ネットを巻回する方向に回転力を付勢された回転ドラムと、この回転ドラムを囲うと共に、この回転ドラムの軸方向と略平行に開口し、前記防護ネットが出入り可能な開口部を下端部に設ける長尺の筒状のケースと、を有し、前記防護ネットは、その端部に取り付けられ、当該防護ネットの引き出しが容易な把持バーを有し、一対の前記伸縮ロッドの先頭の管体を上方に伸長した状態では、前記防護ネットが一対の前記筋交い棒を覆い、かつ、前記把持バーが前記足場板に近接して配置されるように、当該把持バーの両端部が一対の前記末端の管体に保持される。
【００２３】
（２）前記交差筋交い装置は、前記足場板から所定の高さに配置されるように、両端部が一対の前記末端の管体に固定される「下さん」を更に有することが好ましい。
【００２４】
（３）前記ケースは、上段に位置する前記足場板の側面に係止される複数のフックを有することが好ましい。
【００２５】
（４）前記防護ネットが前記回転ドラムに巻回されて前記ケースに格納された後に、一対の前記伸縮ロッドが短縮された状態で、前記交差筋交い装置及び前記巻取り装置を略２７０度回転すると、前記交差筋交い装置及び前記巻取り装置は、前記足場板の内部に収容されることが好ましい。
【００２６】
（５）前記伸縮ロッドは、末端の前記管体から先頭の前記管体に向けて、口径が段階的に小さくなる、相互に挿嵌された複数の管体で構成され、これらの管体は、先頭の前記管体に向けて一方の端部が縮径された縮径端部と、末端の前記管体に向けて他方の端部が拡径された拡径端部と、を有し、前記縮径端部の内壁に前記拡径端部の外壁が阻止されて、当該伸縮ロッドが伸長した長さが規定されることが好ましい。
【発明の効果】
【００２７】
本発明による枠組足場は、巻取り装置を上方に伸長した状態では、一対の筋交い棒が巻取り装置と足場板の間を交差するように容易に配置できる。又、巻取り装置から防護ネットを引き出すと、一対の筋交い棒及び「下さん」を防護ネットで覆うことができ、かつ、防護ネットの端部に取り付けた把持バーを足場板に近接して容易に配置できる。
【００２８】
又、本発明による枠組足場は、防護ネットが回転ドラムに巻回されて筒状のケースに格納された後に、一対の伸縮ロッドが短縮されて略２７０度回転した状態では、交差筋交い装置及びこの巻取り装置を足場板の内部に収納できる。
【図面の簡単な説明】
【００２９】
【図１】本発明の一実施形態による枠組足場の構成を示す斜視図であり、足場板に対して交差筋交い装置を起立させると共に、巻取り装置を上方に引き上げた状態図である。
【図２】前記実施形態による枠組足場に備わる交差筋交い装置の要部を示す正面図である。
【図３】前記実施形態による枠組足場に備わる一方の伸縮ロッドを示す正面図であり、図３（Ａ）は、一方の伸縮ロッドが最も伸長した状態図、図３（Ｂ）は、一方の伸縮ロッドが最も縮小した状態図である。
【図４】前記実施形態による枠組足場の構成を示す左側面図であり、足場板に対して交差筋交い装置を起立させると共に、巻取り装置を上方に引き上げた状態図である。
【図５】前記実施形態による枠組足場の要部を示す縦断面図であり、足場板に対して交差筋交い装置を起立させた状態図である。
【図６】前記実施形態による枠組足場の要部を示す縦断面図であり、図５の状態から巻取り装置を略２７０度回転した状態図である。
【図７】前記実施形態による枠組足場に備わる巻取り装置の縦断面図である。
【図８】前記実施形態による枠組足場の要部を示す縦断面図であり、巻取り装置及び交差筋交い装置が足場板の内部に収容された状態図である。
【図９】前記実施形態による枠組足場の概略の構成を示す正面図であり、巻取り装置及び交差筋交い装置が足場板に収容された状態図である。
【図１０】前記実施形態による枠組足場の概略の構成を示す正面図であり、足場板に対して交差筋交い装置を起立させた状態図である。
【図１１】前記実施形態による枠組足場の概略の構成を示す正面図であり、上昇させた巻取り装置から防護ネットが引き出されている状態図である。
【図１２】前記実施形態による枠組足場の概略の構成を示す正面図であり、巻取り装置と足場板の間に防護ネットを張設した状態図である。
【図１３】従来の枠組足場の構成を示す斜視図である。
【発明を実施するための形態】
【００３０】
以下、図面を参照して本発明を実施するための形態を説明する。
［枠組足場の構成］
最初に、本発明の一実施形態による枠組足場の構成を説明する。図１は、本発明の一実施形態による枠組足場の構成を示す斜視図であり、足場板に対して交差筋交い装置を起立させると共に、巻取り装置を上方に引き上げた状態図である。図２は、前記実施形態による枠組足場に備わる交差筋交い装置の要部を示す正面図である。
【００３１】
図３は、前記実施形態による枠組足場に備わる一方の伸縮ロッドを示す正面図であり、図３（Ａ）は、一方の伸縮ロッドが最も伸長した状態図、図３（Ｂ）は、一方の伸縮ロッドが最も縮小した状態図である。図４は、前記実施形態による枠組足場の構成を示す左側面図であり、足場板に対して交差筋交い装置を起立させると共に、巻取り装置を上方に引き上げた状態図である。
【００３２】
図５は、前記実施形態による枠組足場の要部を示す縦断面図であり、足場板に対して交差筋交い装置を起立させた状態図である。図６は、前記実施形態による枠組足場の要部を示す縦断面図であり、図５の状態から巻取り装置を略２７０度回転した状態図である。
【００３３】
図７は、前記実施形態による枠組足場に備わる巻取り装置の縦断面図である。図８は、前記実施形態による枠組足場の要部を示す縦断面図であり、巻取り装置及び交差筋交い装置が足場板の内部に収容された状態図である。
【００３４】
図１を参照すると、本発明の一実施形態による枠組足場１００は、長尺の足場板１０、交差筋交い装置２０、及び巻取り装置３０を備えている。交差筋交い装置２０は、足場板１０の幅方向の側面に連結し、伸縮自在になっている。巻取り装置３０は、交差筋交い装置２０の上部に設置されている。
【００３５】
（足場板の構成）
図１又は図６及び図８を参照すると、足場板１０は、アルミニウム合金などから成形され、作業員が往来可能な帯状に延びる床面１１を形成する床部１１ａを設けている。床部１１ａの幅方向の両側面１２・１３には、床部１１ａの長手方向に延びる、対向する一対の枠部１２ａ・１３ａを設けている。
【００３６】
図１又は図６及び図８を参照すると、床部１１ａには、一対の枠部１２ａ・１３ａと平行に複数の補強リブ１４を内部に突出している。複数の補強リブ１４を設けることにより、足場板１０の強度を保障している。
【００３７】
又、図１又は図２を参照すると、足場板１０は、その長手方向の両翼に一対の半円弧状の切り欠き１５・１５を開口している。これらの切り欠き１５・１５を一対の建枠９１ａ・９１ａの水平部材（図１３参照）に係合することにより、足場板１０を水平状態に配置できる。なお、足場板１０の長手方向の両翼には、幅方向に断続する凹凸部（図示せず）を設け、長手方向に隣接する足場板１０・１０の凹部と凸部を嵌合して、建枠９１ａの水平部材（図１３参照）を共有することが好ましい。
【００３８】
（交差筋交い装置の構成）
図１から図３を参照すると、交差筋交い装置２０は、一対の対向する伸縮ロッド２１・２２と、軸方向に伸縮可能な一対の筋交い棒２４・２５を有している。更に、交差筋交い装置２０は、足場板から所定の高さに配置される「下さん２７」を有している（図４参照）。又、交差筋交い装置２０は、長尺の横設架２３を有している。横設架２３は、一対の伸縮ロッド２１・２２の基端部を固定している。なお、伸縮ロッド２１と伸縮ロッド２２とは、同じものであるが説明の便宜上、符号を変えて区別した。
【００３９】
図１を参照すると、横設架２３は、一対のヒンジ６・６で足場板１０の側面１２に回動可能に連結している。図１又は図４から図５を参照すると、ヒンジ６は、一組の可動ブロック６１と固定ブロック６２とで構成している。一対の可動ブロック６１・６１は、横設架２３の両翼に固定している。又、可動ブロック６１は、その端部に係合穴６１ａを開口している。
【００４０】
一方、図１又は図４から図５を参照すると、一対の固定ブロック６２・６２は、足場板１０の側面１２の内壁に固定している。又、固定ブロック６２は、その端部に係合ピン６２ａを突出している。一対の係合穴６１ａ・６１ａに一対の係合ピン６２ａを係合させて、固定ブロック６２に対して、可動ブロック６１を略２７０度、回動できる。
【００４１】
（伸縮ロッドの構成）
図１又は図３を参照すると、一対の伸縮ロッド２１・２２は、末端の管体２０ａ、中間の管体２０ｂ、及び先頭の管体２０ｃをそれらの軸方向に連設している。一対の末端の管体２０ａ・２０ａは、横設架２３の両翼に溶接などで固定されている。一対の先頭の管体２０ｃ・２０ｃは、後述する巻取り装置３０の両端部を支持している。
【００４２】
図１又は図３を参照すると、一対の伸縮ロッド２１・２２は、末端の管体２０ａに対して、先頭の管体２０ｃに向けて中間の管体２０ｂを引き出し自在に連結している。又、一対の伸縮ロッド２１・２２は、中間の管体２０ｂに対して、先頭の管体２０ｃを引き出し自在に連結している。つまり、一対の伸縮ロッド２１・２２は、複数の管体２０ａ・２０ｂ・２０ｃを相互に引き出して伸長することができ、複数の管体２０ａ・２０ｂ・２０ｃを相互に収容して短縮することもできる。
【００４３】
図１又は図３及び図４を参照すると、一対の伸縮ロッド２１・２２は、末端の管体２０ａから先頭の管体２０ｃに向けて、口径が段階的に小さくなる、相互に挿嵌された複数の管体２０ａ・２０ｂ・２０ｃで構成している。
【００４４】
図３を参照すると、末端の管体２０ａは、先頭の管体２０ｃに向けて一方の端部が縮径された縮径端部２０ｓを有している。中間の管体２０ｂは、先頭の管体２０ｃに向けて一方の端部が縮径された縮径端部２０ｓを有している。又、中間の管体２０ｂは、末端の管体２０ａに向けて他方の端部が拡径された拡径端部２０ｔを有している。先頭の管体２０ｃは、先頭の管体２０ｃに向けて一方の端部が縮径された縮径端部２０ｓを有している。末端の管体２０ａに向けて他方の端部が拡径された拡径端部２０ｔを有している。
【００４５】
図３（Ａ）を参照すると、末端の管体２０ａの縮径端部２０ｓの内壁に、中間の管体２０ｂの拡径端部２０ｔの外壁が阻止されている。同様に、中間の管体２０ｂの縮径端部２０ｓの内壁に、先頭の管体２０ｃの拡径端部２０ｔの外壁が阻止されている。そして、一対の伸縮ロッド２１・２２が伸長した長さが規定されている。
【００４６】
引き続き、実施形態による枠組足場１００の構成を説明する。図９は、前記実施形態による枠組足場の概略の構成を示す正面図であり、巻取り装置及び交差筋交い装置が足場板に収容された状態図である。図１０は、前記実施形態による枠組足場の概略の構成を示す正面図であり、足場板に対して交差筋交い装置を起立させた状態図である。
【００４７】
図１１は、前記実施形態による枠組足場の概略の構成を示す正面図であり、上昇させた巻取り装置から防護ネットが引き出されている状態図である。図１２は、前記実施形態による枠組足場の概略の構成を示す正面図であり、巻取り装置と足場板の間に防護ネットを張設した状態図である。
【００４８】
（筋交い棒の構成）
図１又は図１０から図１２を参照すると、一対の筋交い棒２４・２５は、一対の伸縮ロッド２１・２２の間を交差するように配置している。筋交い棒２４の一方の端部は、伸縮ロッド２１の末端の管体２０ａに回動可能に連結している（図２参照）。又、筋交い棒２４の他方の端部は、伸縮ロッド２２の先頭の管体２０ｃに回動可能に連結している。一方、筋交い棒２５の一方の端部は、伸縮ロッド２１の先頭の管体２０ｃに回動可能に連結している（図３参照）。又、筋交い棒２５の他方の端部は、伸縮ロッド２２の末端の管体２０ａに回動可能に連結している。
【００４９】
図１１又は図１２を参照すると、一対の筋交い棒２４・２５は、中央部を互いに回動可能にピンなどで連結するパイプ部材２０ｐをそれぞれ有している。又、これらの筋交い棒２４・２５は、パイプ部材２０ｐの両端部が軸方向にスライド可能に嵌合するパイプ部材２０ｑをそれぞれ有している。更に、パイプ部材２０ｑの他方に端部には、パイプ部材２０ｒを延出している。そして、パイプ部材２０ｒの末端部が一対の伸縮ロッド２１・２２に回動可能に連結している。
【００５０】
なお、図１１又は図１２を参照すると、筋交い棒２４と筋交い棒２５とは、同じものであるが、説明の便宜上符号を変えて区別した。図２又は図３及び図７を参照すると、パイプ部材２０ｒの末端部は、扁平に成形加工され、一対の伸縮ロッド２１・２２の側面に溶接で固定された金具にピンなどで連結している。更に、図１１又は図１２を参照すると、「下さん２７」の両端部は、一対の末端の管体２０ａ・２０ａに固定されている。
【００５１】
（巻取り装置の構成）
次に、実施形態による巻取り装置３０の構成を説明する。図１又は図３及び図４又は図７を参照すると、巻取り装置３０は、回転ドラム３１と筒状のケース３２を有している。ケース３２は、回転ドラム３１の周囲をＵ字状に囲っている。
【００５２】
図１又は図３及び図４又は図７を参照すると、ケース３２は、長手方向の両翼に一対の保持ブロック３３・３３を内部に取り付けている。これらの保持ブロック３３・３３は、固定軸３４の両端部を支持している。固定軸３４は、軸受３４ａを介して、回転ドラム３１を回転可能に連結している。又、一対の保持ブロック３３・３３は、ケース３２の両端部と共に、一対の伸縮ロッド２１・２２の先頭の管体２０ｃ・２０ｃに支持されている。
【００５３】
図４又は図７を参照すると、回転ドラム３１は、シート状の防護ネット３ｎを巻回している。図３を参照すると、回転ドラム３１は、コイルばね３５を内蔵している。コイルばね３５は、固定軸３４の外周を巻回するように配置されている。コイルばね３５の一端部は、固定軸３４に固定され、コイルばね３５の他端部は、回転ドラム３１に固定されている。そして、コイルばね３５は、防護ネット３ｎを回転ドラム３１に巻回する方向に回転力を付勢している。なお、図３の右側にも、図３に示した構成のコイルばね３５を配置している。
【００５４】
図４又は図７及び図１１を参照すると、ケース３２は、その長手方向に沿って、複数の回転タイプのフック３６を取り付けている。図７又は図１１に示すように、これらのフック３６は、上段に位置する足場板１０の側面１２に設けた開口１２１係止できる（図２参照）。又、図８に示すように、これらのフック３６は、足場板１０の側面１３に係止でき、足場板１０の内部に収容された交差筋交い装置２０及び巻取り装置３０を保持できる。
【００５５】
図１又は図７を参照すると、ケース３２は、その下端部に開口部３２１を設けている。開口部３２１は、回転ドラム３１の軸方向と略平行に開口している。又、開口部３２１には、防護ネット３ｎが出入り可能になっている。
【００５６】
図３又は図７を参照すると、防護ネット３ｎは、その端部に把持バー３ｐを取り付けている。把持バー３ｐは、ケース３２の開口部３２１から出入りすることができる。把持バー３ｐを把持して、防護ネット３ｎをケース３２から容易に引き出しことができる。
【００５７】
図２又は図４を参照すると、一対の末端の管体２０ａ・２０ａは、把持バー３ｐの両端部を保持できる一対のクリップ２６・２６を取り付けている。図４に示すように、実施形態によるクリップ２６は、一端部が開口した板ばね片になっている。把持バー３ｐを一対のクリップ２６・２６に向けて押すことにより、把持バー３ｐの両端部が一対のクリップ２６・２６に保持できる。一方、把持バー３ｐを引いて、一対のクリップ２６・２６から引き離すこともできる。
【００５８】
図２又は図４を参照すると、一対のクリップ２６・２６は、足場板１０の床面１１に近接して設置され、一対のクリップ２６・２６に保持された把持バー３ｐを足場板１０の床面１１に近接して保持できる。
【００５９】
図４又は図１１及び図１２を参照すると、防護ネット３ｎは、網目が細かいメッシュシートを用いることが好ましく、例えば、このメッシュシートは、屈曲容易な強靭性の繊維で格子状に織られている。強靭性の繊維とは、靭性の高い繊維であってよく、スチール繊維、カーボン繊維、ガラス繊維、ポリエステルやアラミド繊維などの有機繊維、その他の繊維を含むことができる。
【００６０】
［枠組足場の作用］
次に、実施形態による枠組足場１００の操作方法を説明しながら、枠組足場１００の作用及び効果を説明する。図９を参照して、枠組足場１００を設置した段階では、交差筋交い装置２０が縮小されていると共に、巻取り装置３０には、防護ネット３ｎが巻回されており、これら交差筋交い装置２０及び巻取り装置３０は、足場板１０の内部に収納されている（図６及び図８参照）。
【００６１】
図５及び図６を参照して、交差筋交い装置２０及び巻取り装置３０が足場板１０の内部に収納された状態から、略２７０度、回動すると交差筋交い装置２０を起立できる（図３又は図１０参照）。
【００６２】
次に、図１０に示された状態から、巻取り装置３０を上方に引き上げると、一対の伸縮ロッド２１・２２が伸長するのに連動して、一対の筋交い棒２４・２５を所定の角度に交差できる（図１１参照）。そして、複数のフック３６を上方の足場板１０に係止することにより、交差筋交い装置２０を所定の交差角度に保持できる。なお、一対の伸縮ロッド２１・２２が伸長するのに連動して、一対の筋交い棒２４・２５は、交差角度が開角し、かつ、軸方向に伸長している。
【００６３】
次に、図１１に示すように、把持バー３ｐを把持して、防護ネット３ｎをケース３２から引き出す。次に、図２及び図４を参照して、把持バー３ｐの両端部を一対のクリップ２６・２６に保持させれば、図１２に示すように、交差した一対の筋交い棒２４・２５及び「下さん２７」を防護ネット３ｎで覆うことができる。そして、巻取り装置３０と足場板１０の間に防護ネット３ｎを張設できる（図４参照）。
【００６４】
図１２を参照して、把持バー３ｐを一対のクリップ２６・２６から引き離すことにより、防護ネット３ｎを巻取り装置３０に巻き取って格納できる（図７参照）。そして、一対の伸縮ロッド２１・２２を短縮して、図１０に示すように、交差筋交い装置２０を初期の状態に復帰できる。
【００６５】
更に、図１０に示された状態から、交差筋交い装置２０及び巻取り装置３０を略２７０度、回動すると、これらの交差筋交い装置２０及び巻取り装置３０を足場板１０の内部に収納できる（図６又は図８及び図９参照）。
【００６６】
実施形態による枠組足場１００は、巻取り装置３０を上方に伸長した状態では、一対の筋交い棒２４・２５が巻取り装置３０と足場板１０の間を交差するように容易に配置できる。又、巻取り装置３０から防護ネット３ｎを引き出すと、一対の筋交い棒２４・２５及び「下さん２７」を防護ネット３ｎで覆うことができ、かつ、防護ネット３ｎの端部に取り付けた把持バー３ｐを足場板１０に近接して配置できる。
【００６７】
又、実施形態による枠組足場１００は、防護ネット３ｎが回転ドラム３１に巻回されて筒状のケース３２に格納された後に、一対の伸縮ロッド２１・２２が短縮されて略２７０度回転した状態では、交差筋交い装置２０及び巻取り装置３０を足場板１０の内部に収納できる。
【００６８】
又、実施形態による枠組足場１００は、交差筋交い装置２０が起立した状態で、防護ネット３ｎの端部を巻取り装置３０から引き出して、足場板１０と巻取り装置３０の間隙を防護ネット３ｎで覆うことにより、小型の物品が落下することを防止できる。
【００６９】
実施形態による枠組足場は、「下さん」と足場板とを一体に構成しているので、従来のように、足場板と「下さん」を別々に搬入又は搬出する必要が無くなり、かつ、足場板の保管スペースを「下さん」の保管スペースとして利用できる。そして、枠組足場の構成品の保管スペースを削減できる。
【００７０】
又、実施形態による枠組足場は、「下さん」と足場板とを一体に構成しているので、工具などを使用することなく、「下さん」を容易に設置でき、設置時間を短縮できる。
【００７１】
実施形態による枠組足場１００は、把持バー３ｐの両端部を保持する一対のクリップ２６・２６の上方に、一対の末端の管体２０ａ・２０ａを連結する横設架（図示せず）を設けてもよく、この横設架を幅木として機能させることもできる。
【００７２】
実施形態による伸縮ロッドは、相互に挿嵌された三つの管体２０ａ・２０ｂ・２０ｃで構成したが、中間の管体を二つの管体で構成すると共に、これらの中間の管体、末端の管体、及び先頭の管体を略同じ長さに設定することにより、伸縮ロッドの収縮長さを短縮でき、足場板の幅方向の長さを短くできる。
【符号の説明】
【００７３】
３ｎ  防護ネット
３ｐ  把持バー
１０  足場板
１２  側面（足場板の側面）
２０  交差筋交い装置
２０ａ  管体（末端の管体）
２０ｂ  管体（中間の管体）
２０ｃ  管体（先頭の管体）
２１・２２  一対の伸縮ロッド
２４・２５  一対の筋交い棒
２７  下さん
３０  巻取り装置
３１  回転ドラム
３２  ケース
１００  枠組足場
【図１】
2012167488.tif 000003
【図２】
2012167488.tif 000004
【図３】
2012167488.tif 000005
【図４】
2012167488.tif 000006
【図５】
2012167488.tif 000007
【図６】
2012167488.tif 000008
【図７】
2012167488.tif 000009
【図８】
2012167488.tif 000010
【図９】
2012167488.tif 000011
【図１０】
2012167488.tif 000012
【図１１】
2012167488.tif 000013
【図１２】
2012167488.tif 000014
【図１３】
2012167488.tif 000015